(57)【要約】  ケーブルコードのジャックをカバリングするためのインサートアタッチメントであって、インサートアタッチメントは、後部および前部を有するハウジングを含み、前部直径が後部直径よりも大きい。インサートアタッチメントは、保護スリーブを含んでもよい。インサートアタッチメントは、様々な密度または硬度を有するハウジングの表面上の内側および外側コーティング層をさらに含んでもよい。
2019534545.tif 000002
【特許請求の範囲】
【請求項１】
ケーブルコードのジャックをカバリングするためのキャップであって、
前部と後部、および
前部と後部内のインサート孔を含み
前部のインサート孔は、後部の孔よりも大きな直径を有する、
前記キャップ。
【請求項２】
前部と後部とが段差を形成する、請求項１に記載のキャップ。
【請求項３】
キャップが、前部と後部との間に中間部分を含み、２段差キャップを形成する、請求項１に記載のキャップ。
【請求項４】
キャップが、塵埃、腐食、危険物またはそれらの組み合わせからジャックを保護するように構成されている、請求項１に記載のキャップ。
【請求項５】
キャップが、ジャックとキャップとの間の領域を保護するために前部の内側に複数の円形リングをさらに含む、請求項１に記載のキャップ。
【請求項６】
キャップが、内側コーティング層と外側コーティング層とを含む、請求項１に記載のキャップ。
【請求項７】
前部の直径と第２の部分の直径とが連続している、請求項１に記載のキャップ。
【請求項８】
前部が、Ｏリングアタッチメントを含む、請求項１に記載のキャップ。
【請求項９】
内側コーティング層が、柔らかい材料であり、外側コーティング層が、硬い材料である、請求項６に記載のキャップ。
【請求項１０】
ケーブルのジャックを保護する方法であって、
ジャックを受け入れるように構成された複数のインサートアタッチメントを提供するステップを含み、
インサートアタッチメントは、前部と後部とを含み、前部の直径は後部の直径よりも大きい、前記方法。
【発明の詳細な説明】
【技術分野】
【０００１】
本出願は、２０１６年１１月７日に出願された、米国特許仮出願第１５／３４５，４３５号の優先権を主張し、その全体が参照により本明細書に組み込まれる。
【０００２】
本発明はケーブルコードのジャックをカバリングするためのインサートの分野に関する。本発明は、特に、１以上のケーブルコードジャックのためのキャップおよびカバリングに関する。
【０００３】
電気機器のメーカーやユーザーは、機器を最適な演奏状態に保つ必要がある。保護のためのエリアキーの１つは、ケーブルコードが外れて使用されていないときのオーディオジャックである。したがって、それは、ケーブルコードの１以上のジャックをカバリングすることを含むことによって電気機器にとって最適な音を維持するのを助け得る。適切なカバリングは、ジャックが長期使用のために適切な作業順序で維持されることを確実にするのを助け、そして有害な粒子がジャックおよび接続の品質を低下させるのを防ぐ。
【背景技術】
【０００４】
これは、オーディオ出力が時間とともに劣化する可能性がある電気機器の音質を維持するために重要である。つまり、ジャックはオーディオ装置のコネクタとして広く普及しており、周囲の環境に絶えず開放されている。したがって、電気機器のオーディオジャックが、デバイスが使用されていないときにコネクタの品質を損なう、または落とす可能性がある埃、粒子、湿気、および／または他の材料の形での損傷から保護されることが重要である。
【０００５】
現在のところ、機器の保護と音質を気にするユーザーにとって、カバリングするやキャッピングを含むケーブルコード用のインサートを選ぶのが一般的である。したがって、ユーザーは特定の機器で得られた音を保存することができる。パッチコードのキャップとインサートには、長さが異なり、ケーブルコードとジャックの形状が異なるさまざまなスタイルがある。Ｂｅｌｌｅｒらの米国特許第７４７６７９８Ｂ１号は、エレキギターや音楽機器のオーディオ出力を提供するオーディオフォンジャックに取り付けることができる他の弦楽機器のバッテリーアクセスカバーキャップについて説明している。
【０００６】
Ｂｅｌｌｅｒらの米国特許出願第ＵＳ２００５００４５０２１Ａ１号では、音楽機器にしっかりと取り付けることができるキャリングストラップを含む、改良されたストラップボタンおよびアタッチメントが開示されている。アタッチメントは、ラグの底面と機器本体との間にゴム製のＯリングを含めることによって機器からストラップボタンへの音楽的振動の伝達を減少させる、ラグおよびフェイスキャップを含むツーピース設計を含む。
【０００７】
Leilheitの米国特許第４７９８１１９Ａ号は、指定された位置にフレット弦楽機器の弦を固定するためのポジショナを開示している。さらに、記載されたポジショナは、ギターネックのフレットボードに固定的に保持されたインサートを含む。
【０００８】
努力傾注分野および他の同様の解決策の分野におけるこの先行技術は、端部領域の効率的なカバリングまたはキャッピングのために音楽機器のケーブルコードのためのインサートを提供しようとするものである。しかしながら、先行技術は、限定はされないが、ユーザーによる装置からの頻繁な取り外し機構を提供することが不可能であることなどの多くの制限および欠点を含み、それは容易な操作を妨げる。
【０００９】
本発明の態様は、インサートプロテクタのための容易な使用および取り外し機構を含む多くの改良を含む。本発明の態様は、電気機器用の複数のジャック用のキャップも含む。したがって、本発明は、電気機器のジャックを保護するための様々な改良および解決策を含む。
【００１０】
したがって、従来技術においては、電気機器のジャックの少なくとも一方を効率的に挿入し保護するための改良されたキャップおよびカバーを得ることが依然として必要とされている。本発明の態様は、プロテクタのための容易な挿入および容易な取り外し機構を含む多くの改良を含む。
【００１１】
このシステムにより、ユーザーは面倒なアタッチメントを必要とせずに機器を輸送し保管することが可能になる。本発明の態様はまた、複数のジャック用のキャップを含む。したがって、本発明は、電気機器のジャックを保護するための様々な改良および解決策を含む。
【発明の概要】
【発明が解決しようとする課題】
【００１２】
従来技術において現在存在する音楽機器のジャックのための既知のタイプのキャップまたはカバーに固有の前述の欠点を考慮して、本発明は音楽機器のための改良されたインサートアタッチメントを提供する。したがって、後でより詳細に説明する本発明の一般的な目的は、音楽機器用のインサートアセンブリを有する新規で改良されたキャップおよびカバリングを提供することである。
【００１３】
本明細書に記載された本発明の態様は、前部直径が後部直径よりも大きい、後部および前部を有するハウジングを備えるケーブルコードのジャックをカバリングするためのキャップのためのデバイスにおいて具体化され得る。
【００１４】
本発明のさらなる態様は、ケーブルコードのジャック上に保護スリーブを含むことができる音楽機器ケーブルのジャック部分を保護するためのインサートアタッチメントにおいて具現化することができる。
【００１５】
他の本発明の態様は、デバイスまたは機器が使用されていない間に、埃、粒子、腐食および他の危険な物質などから有害な条件からそれを保護するためにジャック表面を囲むためのハウジングの手段で具体化できる。
【００１６】
ハウジングの表面上に内側および外側コーティング層を有するケーブルコードのジャックをカバリングするためのキャップを提供することにおいて、さらに他の発明的態様を具体化することができる。
【００１７】
本明細書に記載された本発明の態様は、それらが互いに損傷するのを防ぎ、さらに有害な埃、粒子、および湿気によって損傷されるのを防ぐために複数のジャックの上に配置されるように設計されたキャップを提供するシステムで具体化され得る。
【００１８】
さらなる本発明の態様は、ゴムをベースとする化合物またはプラスチックの種類から選択される材料から作られ得るインサートアタッチメントキャップまたは少なくとも１つのジャックのためのカバリングにおいて具体化され得る。
【００１９】
この点に関して、本発明の少なくとも１つの実施形態を詳細に説明する前に、本発明はその適用において構造の詳細および以下の説明に示されるかまたは図中に例示される構成要素の配置に限定されないことを理解されたい。本発明は他の実施形態が可能であり、様々な方法で実施および実行することができる。また、本明細書で使用されている表現および用語は説明を目的としており、限定と見なすべきではないことを理解されたい。
【００２０】
本発明を特徴付ける新規性の様々な特徴と共に、本発明の他の目的と共にこれらは、本開示において詳細に指摘される。本発明、その操作上の利点、およびその使用によって達成される特定の目的をよりよく理解するために、添付の図面および本発明の好ましい実施形態が示されている説明事項を参照されたい。
【００２１】
以下の本発明の詳細な説明を考慮すると、本発明はよりよく理解され、上記のもの以外の目的が明らかになるであろう。
【図面の簡単な説明】
【００２２】
【図１】図１は、例示的な実施形態による、ケーブルコードのジャックをカバリングするためのインサートアタッチメントキャップを示す図である。
【００２３】
【図２】図２は、例示的な実施形態による、より硬質の外側プラスチックコーティングおよびより軟質の内側コーティングを示すインサートアタッチメントキャップを示す図である。
【００２４】
【図３Ａ】図３Ａは、例示的な実施形態による、Ｏリングアタッチメントを用いてケーブルコードのジャックをカバリングするためのインサートアタッチメントキャップを示す図である。
【図３Ｂ】図３Ｂは、例示的な実施形態による、Ｏリングアタッチメントを用いてケーブルコードのジャックをカバリングするためのインサートアタッチメントキャップを示す図である。
【発明を実施するための形態】
【００２５】
以下の詳細な説明では、本明細書の一部を形成し、本発明を実施することができる特定の実施形態を例示として示す添付の図面を参照する。これらの実施形態は、当業者が本発明を実施することを可能にするために十分に詳細に説明され、実施形態が組み合わされてもよく、または他の実施形態が利用されてもよい。本発明の精神および範囲から逸脱することはない。したがって、以下の詳細な説明は限定的な意味で解釈されるべきではなく、本発明の範囲は添付の特許請求の範囲およびそれらの均等物によって定義される。
【００２６】
図１は、オーディオケーブルの少なくとも１つのジャックをカバリングするためのインサートアタッチメントまたはキャップ１００を示す。一実施形態では、少なくとも１つのジャックカバリングは、後部１０５および前部１１０を有するハウジングを備える。一実施形態では、少なくとも１つのジャックインサートアタッチメントは、通路など、前部１１０と後部１０５との間に開放空間を含む。
【００２７】
一実施形態では、少なくとも１つのジャックインサートアタッチメントは、少なくとも１つのジャック用の実質的に平坦な接触端子を有するオーディオケーブルを受け入れるためのハウジングの前部１１０に形成された開口部１１５を含む。一実施形態では、前部１１０は第１の内孔を画定する第１の内表面を含み、後部１０５は第２の内孔を画定する第２の内表面を含む。一実施形態では、第１の内孔直径は第２の内孔直径より大きい。
【００２８】
一実施形態では、インサートアタッチメント１００は、実質的に平坦な接触端子を有する少なくとも１つのジャックを受け入れるケーブルコード用のハウジングの前部１１０に形成された開口部１１５を提供するように構成される。一実施形態では、前部１１０および後部１０５は、第１および第２の内孔を画定する第１および第２の内表面を有する。
【００２９】
この実施形態では、第１の内孔の直径は、第２の内孔の直径より大きくてもよい。一実施形態では、インサートアタッチメント１００は、オーディオケーブルの複数のジャックを保護するためのスリーブ形状として構成することができる。一実施形態では、複数のジャックは個々のインサートアタッチメント１００によってカバーされている。一実施形態では、ストラップは、少なくとも１人の使用者がインサートアタッチメントを容易に接続するために複数のインサートアタッチメントまたはキャップを一緒に保持するように構成されている。
【００３０】
ジャックインサートは１つの段に限定されない。さらなる例示的実施形態では、ジャックインサートは３つの段を有し、第１の内孔は第２の内孔よりも大きい直径を有し、第２の内孔は第３の内孔よりも大きい直径を有する。
【００３１】
図２は、外側および内側コーティングでそれぞれカバーされた外側および内側表面を有するインサートアタッチメントまたはキャップ１００の底面図および正面図を示す。一実施形態では、外側コーティングは、高密度および／または硬質プラスチックコーティング材料から選択することができる。一実施形態では、内側コーティングは、軽くて柔らかいプラスチックコーティング材料の群から選択することができる。内側および外側表面用のコーティングを選択する際には、材料は二重密度プラスチックから選択される。さらに、インサートは、要件に従って、ケーブルコードの様々な種類のジャックの任意の組み合わせに対して適切なサイズであり得る。
【００３２】
例示的実施形態では、前部１１０は長さ１  ３／４インチであり、後部１０５は長さ１  １／４インチであり、前部の直径は１／２インチであり、後部の直径は１／４インチである。
【００３３】
別の例示的実施形態では、内側のより柔らかいプラスチック層は、ジャックとのより良好な締め付けを提供するための複数の円形リングを含む。
【００３４】
図３Ａおよび図３Ｂは、Ｏリングアタッチメント付きのケーブルコードのジャックをカバリングするためのキャップを示す。例示的実施形態では、Ｏリングは、ジャックを塵埃、腐食、危険物またはそれらの組合せからさらに保護するためにジャックとキャップとの間の領域をしっかりと固定するように構成される。
【００３５】
さらなる例示的実施形態では、キャップの前部は、ジャックのさらなる保護を提供するために、キャップの内側に隆起リングを含み得る。
【００３６】
上記の説明は例示的であり、限定的ではないことを意図していることを理解されたい。例えば、上述の実施形態は互いに組み合わせて使用することができる。上記の説明を検討すれば、他の多くの実施形態が当業者には明らかであろう。
【００３７】
本発明によって提供され得る利益および利点は、特定の実施形態に関して上記で説明されている。これらの利益および利点、ならびにそれらを生じさせまたはより顕著にさせる可能性があるあらゆる要素または制限は、実施形態のいずれかまたはすべての重要な、必須の、または必須の特徴として解釈されるべきではない。
【００３８】
本発明を特定の実施形態を参照して説明したが、これらの実施形態は例示的なものであり、本発明の範囲はこれらの実施形態に限定されないことを理解されたい。上述の実施形態に対する多くの変形、修正、追加および改良が可能である。これらの変形、修正、追加および改良は本発明の範囲内にあると考えられる。
【図１】
2019534545.tif 000003
【図２】
2019534545.tif 000004
【図３Ａ】
2019534545.tif 000005
【図３Ｂ】
2019534545.tif 000006
【国際調査報告】
2019534545.tif 000007